(57)【要約】      （修正有）【課題】幅広い層の使用者に幅広く使ってもらうために利便性を向上させるとともに節水が可能であり、衛生面にも配慮した吐出水方向変更器及びそれを備えた給水用蛇口を提供する。【解決手段】吐出水方向変更器は、水道水を給水する既設の給水用蛇口の給水管に連結部を介して着脱自在に取り付けられ、その吐出口が連結部によって給水管に対して任意の方向に向くように回転自在に給水管に取り付けられることを特徴とする。【選択図】図１
0003152911.tif 000002
【実用新案登録請求の範囲】
【請求項１】
水道水を給水する既設の給水用蛇口の給水管に着脱自在に取り付けられる吐出水方向変更器であって、
その吐出口が前記給水管に対して任意の方向に向くように回転自在に構成されている
ことを特徴とする吐出水方向変更器。
【請求項２】
前記請求項１に記載の吐出水方向変更器が取り付けられた給水用蛇口であって、
水道水を給水及び止水するハンドルと、
前記ハンドルの操作によって給水量が調整可能な本体と、
前記本体と連結し、前記ハンドルの操作によって調整された量の水道水が導通する給水管と、
前記給水管と前記吐出水方向変更器とを連結する連結部と、を備えている
ことを特徴とする給水用蛇口。
【考案の詳細な説明】
【技術分野】
【０００１】
本考案は、一般家庭の洗面所や台所等に設置される吐出水方向変更器及びそれを備えた給水用蛇口に関するものである。
【背景技術】
【０００２】
従来から、一般家庭の洗面所や台所等で使用される給水用蛇口として種々の形状のものが開示されている。そのようなものとして、「カランを、その出口側を横向きに屈曲させて、その先端に、エルボ状に屈曲させた供給管部の一端側を軸心線を中心に回動自在に連結して備えた構成とし、且つ該カランの供給管部の他端側に、蛇口管を軸心線を中心に回動自在に連結してなる給水用蛇口」が提案されている（たとえば、特許文献１参照）。
【０００３】
特許文献１に記載の給水用蛇口は、蛇口管が食器（洗浄中の数多くの食器類やシンク内に置かれた食器類）の邪魔にならないように、蛇口管の高さ位置を変えることを可能にしたものである。つまり、この給水用蛇口は、蛇口管から給水が行なわれていないとき、その蛇口管の高さ位置を変えることを可能にしたものである。したがって、蛇口管から給水を行なう際には、先端の蛇口管の給水口を下方に向けて通常の使用状態に戻すことになる。
【０００４】
この特許文献１に記載の給水用蛇口も含め、一般家庭で使用される給水用蛇口は、水を下向きに吐出させることを前提としている。このような給水用蛇口を歯みがき時に使用する場合、使用者は、用意してあるコップに水を注ぎ、歯みがき後にコップを介して口をすすぐことが通常である。使用者によっては、コップに所定量の水を注いだ後も出し続けてしまうことがある。これは、水を無駄遣いしていることになる。また、使用後のコップは、単純に水で流されるだけのことが多く、コップだけでなくシンクや洗面所が不衛生になりかねない。さらに、このような給水用蛇口は、下方に水を吐出するだけであるため、利便性が悪く、水道水の利用の幅を狭くするものである。
【先行技術文献】
【特許文献】
【０００５】
【特許文献１】特開平１０−３７２６０号公報
【考案の概要】
【考案が解決しようとする課題】
【０００６】
しかしながら、特許文献１に記載の給水用蛇口は、蛇口管から給水が行なわれているときの蛇口管の位置については何ら考慮されていない。また、特許文献１に記載の給水用蛇口は、シンクに備えられるものを前提としており、使用者及び使い方が限定されてしまっている。したがって、このような給水用蛇口では、幅広い層の使用者に幅広く使ってもらうことができず、幅広い層の使用者に幅広く使ってもらうためには更なる改良や工夫が必要になる。
【０００７】
加えて、近年の環境問題への関心の高まりから、節水に対しての問題意識を考慮する必要がある。つまり、幅広い層の使用者に幅広く使ってもらうためだけでなく、節水に対しての改良や工夫も要求される。また、近年では、水道水離れが進み、水道水を飲料用途に使用しないことも多い。これは、水道水に対するイメージだけでなく、給水用蛇口が利便性に欠けていることが要因の一つとして挙げられる。さらに、給水用蛇口が設けられるシンクや洗面所の衛生面についての考慮も必要である。
【０００８】
本考案は、以上のような課題を解決するためになされたもので、幅広い層の使用者に幅広く使ってもらうために利便性を向上させるとともに節水が可能であり、衛生面にも配慮した吐出水方向変更器及びそれを備えた給水用蛇口を提供することを目的としている。
【課題を解決するための手段】
【０００９】
本考案に係る吐出水方向変更器は、水道水を給水する既設の給水用蛇口の給水管に着脱自在に取り付けられる吐出水方向変更器であって、その吐出口が前記給水管に対して任意の方向に向くように回転自在に構成されていることを特徴とする。
【００１０】
本考案に係る給水用蛇口は、上記の吐出水方向変更器が取り付けられた給水用蛇口であって、水道水を給水及び止水するハンドルと、前記ハンドルの操作によって給水量が調整可能な本体と、前記本体と連結し、前記ハンドルの操作によって調整された量の水道水が導通する給水管と、前記給水管と前記吐出水方向変更器とを連結する連結部と、を備えていることを特徴とする。
【考案の効果】
【００１１】
本考案に係る吐出水方向変更器及び給水用蛇口によれば、使用者の所望に応じて水道水の吐出方向を容易に変更することができる。
【図面の簡単な説明】
【００１２】
【図１】実施の形態１に係る給水用蛇口１００を説明するための模式図である。
【図２】実施の形態２に係る給水用蛇口１００ａを説明するための模式図である。
【考案を実施するための形態】
【００１３】
以下、本考案の実施の形態を図面に基づいて説明する。
実施の形態１.
図１は、本考案の実施の形態１に係る給水用蛇口１００を説明するための模式図である。図１に基づいて、給水用蛇口１００の構成及び使用方法について説明する。図１に示す給水用蛇口１００は、シングルレバー式の給水用蛇口である場合を例に示しており、たとえば一般家庭の洗面所や台所、バスルーム等に設置されて利用されるものである。なお、図１を含め、以下の図面では各構成部材の大きさの関係が実際のものとは異なる場合がある。
【００１４】
この給水用蛇口１００は、ハンドル１と、本体２と、給水管３と、連結部４と、吐出水方向変更器である吐出管５と、を少なくとも備えている。ここでは、吐出管５が給水用蛇口１００に備わっている状態を例に示しているが、吐出管５は、後述するように既設の給水用蛇口に取り付けられることを想定している。まず吐出管５が取り付けられた状態の給水用蛇口１００について説明し、それから吐出管５の吐出水方向変更器としての機能について説明する。
【００１５】
ハンドル１は、使用者によって操作（回転操作、上下方向の操作）されることによって給水及び止水を実行するものである。本体２は、給水用蛇口１００が設置される場所に取り付けられるものであり、図示省略の水道管と接続され、ハンドル１の操作によって給水量が調整できるようになっているものである。給水管３は、本体２と連結しており、ハンドル１の操作によって調整された量の水道水を導通するものである。
【００１６】
連結部４は、給水管３の先端部（本体２との連結部とは反対側の先端部）に着脱自在に設けられており、給水管３と吐出管５とを連結するものである。吐出管５は、連結部４を介して給水管３の先端部に着脱自在に設けられており、給水管３から流れてきた水道水を給水用蛇口１００の外部に吐出するものである。また、吐出管５は、水道水の流れ方向に対して所定の角度（たとえば、１２０℃）が設けられるように形成されている。さらに、吐出管５は、回転自在に取り付けられるようになっており、水道水の吐出方向を自在に変更可能になっている。つまり、吐出管５は、その吐出口が給水管３に対して任意の方向に向くように回転自在に構成されている。
【００１７】
ここで、給水用蛇口１００の使用方法について詳細に説明する。
［給水用蛇口１００が洗面所に設置されている場合の使用方法］
給水用蛇口１００は、吐出管５により、使用者の所望に応じて水道水の吐出方向を変更可能になっている。朝の多忙時や就寝前の歯みがき時において水道水の吐出方向を上向きに変更すれば、使用者は、水道水をダイレクトに口に含むことができ、コップで口をすすぐ必要がなくなる。そして、使用者は、水道水を必要量だけ口に含み、口をすすぐことができる。したがって、給水用蛇口１００を使用すれば、使用者は、必要量だけの水道水で口をすすぐことができ、水道水の無駄を大きく削減、つまり節水できることになる。また、コップや手で水道水を受ける必要がなくなり、使用者の手間を軽減することにもなる。
【００１８】
ところで、給水管の先端にシャワーを設けるようにした給水用蛇口を洗面所に設置することもある。このような給水用蛇口は、使用者の利便性を向上させたものであるため水道水を上向きに吐出させることは可能であるが、基本的に水道水を上向きに吐出させることを想定していないので、吐出量の調整が難しく、結果的に水道水を無駄にしてしまうことも多い。また、使用者にも余分な手間をかけさせることになり、使い勝手が向上しているとはいえない。さらに、シャワーから吐出した水道水がホースを伝わり、洗面台内部に滴下することになり、洗面台内部が不衛生になりかねない。
【００１９】
また、ハンドルを設けずにセンサーで給水及び止水を実行するようにした給水用蛇口を洗面所に設置することもある。このような給水用蛇口は、センサーによって水道水の浪費を抑制するようにしたものであるが、使用者の動作に的確に反応しないことが多く、使用者を苛立たせることも多い。使い方が制限されている場合、たとえば公衆用トイレの手洗い場に設置され、手洗い用に使用されるだけのような場合では、特に問題とならないかもしれないが、幅広い使い方が想定される一般家庭の洗面所に設置される場合では、使い勝手が向上しているとはいえない。
【００２０】
給水用蛇口１００は、吐出管５が給水管３の先端部に取り付けられており、使用者が容易に水道水を上向きに吐出させることができ、吐出量の調整も難しくない。したがって、上述したような節水が可能となる。また、吐出管５から吐出した水道水が洗面台内部に滴下することもないので、それを理由に洗面台が不衛生になることもない。加えて、給水用蛇口１００は、水道水の吐出方向を様々に変更することができるので、利便性が向上し、使用者の使い勝手の向上に寄与することになる。たとえば、歯みがき時には水道水を上向きに、手洗いや洗顔時には水道水を下向きに、それぞれ吐出させるように吐出管５を回転させればよい。したがって、給水用蛇口１００は、使用者の所望に応じて水道水の吐出方向を容易に変更できるので、使用者の煩わしさを解消でき、利便性が大きく向上することになる。
【００２１】
［給水用蛇口１００が台所に設置されている場合の使用方法］
給水用蛇口１００は、上述したように、使用者の所望に応じて水道水の吐出方向を変更可能になっている。のどが渇いた時やクスリを飲む時において水道水の吐出方向を上向きに変更すれば、使用者は、水道水をダイレクトに口に含むことができ、コップに水道水を貯める必要がなくなる。そして、使用者は、水道水を必要量だけ口に含み、水道水を飲むことができる。したがって、使用者は、水道水を必要な量だけ飲むことができ、節水できることになる。また、コップや手で水道水を受ける必要がなくなり、使用者の手間を軽減することにもなる。
【００２２】
近年、水道水に対するイメージから水道水離れが進み、水道水を飲料用途に使用しないことが多い。確かに、水道水に対するイメージが大きく影響していると考えられるが、給水用蛇口が利便性に欠けていることも関係していると考えられる。つまり、一般家庭で使用される給水用蛇口では、コップや手で水道水を貯めてから口まで運ぶ必要があるため、その分の煩雑さを伴うことになり、このことが水道水を飲料用途に使用しない理由の一因にもなっていると考えられるのである。そこで、給水用蛇口１００を台所に設置すれば、使用者の煩わしさを解消でき、水道水を飲料用途として利用する一助にできる。
【００２３】
［給水用蛇口１００がバスルームに設置されている場合の使用方法］
給水用蛇口１００は、上述したように、使用者の所望に応じて水道水の吐出方向を変更可能になっている。バスルームでの歯みがき時や洗眼時において水道水の吐出方向を上向きに変更すれば、使用者は、水道水をダイレクトに口に含んだり、目に供給したりすることができる。そして、使用者は、体を洗うついでに、歯みがきや洗眼を手軽に実行することができる。したがって、給水用蛇口によれば、使用者の使い勝手を大きく向上できることになる。なお、給水用蛇口１００を洗面所に設置した場合も、同様に洗眼できることは言うまでもない。
【００２４】
吐出管５の吐出水方向変更器としての機能を詳細に説明する。
吐出管５は、一般家庭に設置されている既設の給水用蛇口に取り付け可能に構成されている。したがって、使用者は、この吐出管５だけを購入するだけで、上述したような使用方法を容易に実行することができる。また、吐出管５は、プラスチック材料やゴム材料等の樹脂材料で形成すれば、安価かつ多量に製造することができる。そうすれば、吐出管５を使い捨てとして利用することができ、衛生面の更なる向上が期待できる。ただし、吐出管５を金属材料で構成し、給水用蛇口との一体感を高めて、高級感やデザイン性を向上させるようにしてもよい。
【００２５】
以上のように、給水用蛇口１００によれば、吐出水方向変更器としての吐出管５が取り付けられているので、使用者の所望に応じて水道水の吐出方向を容易に変更することができる。したがって、利便性を大きく向上できることになるので、幅広い層の使用者に幅広く使ってもらうことが可能になる。また、給水用蛇口１００によれば、使用者の使い勝手の向上だけでなく、節水、及び、給水用蛇口１００の水回り近辺の衛生面も容易に向上できることになる。
【００２６】
実施の形態１では、吐出管５を給水管３の先端部に取り付けた状態を例に説明したが、これに限定するものではなく、たとえば吐出管５を給水管３の先端に設けられているシャワー部に取り付けるようにしてもよい。そうすれば、使用者は、シャワー部を引っ張り出すことなく、水道水の吐出方向を変更でき、利便性が向上することになる。また、実施の形態１では、連結部４と吐出管５とが別体となっている状態を例に説明したが、これに限定するものではなく、連結部４が吐出管５又は給水管３の端部に一体となっていてもよい。
【００２７】
実施の形態２．
図２は、本考案の実施の形態２に係る給水用蛇口１００ａを説明するための模式図である。図２に基づいて、給水用蛇口１００ａの構成及び使用方法について説明する。図２に示す給水用蛇口１００ａは、単水栓式の給水用蛇口である場合を例に示しており、たとえば一般家庭の洗面所や台所、バスルーム等に設置されて利用されるものである。なお、実施の形態２では実施の形態１との相違点を中心に説明し、実施の形態１と同一部分には、同一符号を付して説明を省略するものとする。
【００２８】
この実施の形態２に係る給水用蛇口１００ａは、ハンドルの形状（以下、ハンドル１ａと称する）が、実施の形態１に係る給水用蛇口１００のハンドル１の形状と相違している。ハンドル１ａは、使用者によって操作（回転操作）されることによって給水及び止水を実行するものである。それ以外の構成は、基本的に実施の形態１に係る給水用蛇口１００と同様である。すなわち、給水用蛇口の形状にかかわらず、水道水が吐出される箇所（たとえば、給水管３の先端部やシャワー部）に吐出管５を取り付けることによって、水道水の吐出方向を容易に変更することができるのである。
【００２９】
給水用蛇口１００ａによれば、吐出水方向変更器としての吐出管５が取り付けられているので、使用者の所望に応じて水道水の吐出方向を容易に変更することができる。したがって、利便性を大きく向上できることになるので、幅広い層の使用者に幅広く使ってもらうことが可能になる。また、給水用蛇口１００ａによれば、使用者の使い勝手の向上だけでなく、節水、及び、給水用蛇口１００ａの水回り近辺の衛生面も容易に向上できることになる。
【００３０】
なお、実施の形態２についても、吐出管５を給水管３の先端部に取り付けるだけでなく、給水管３の先端に設けられているシャワー部に取り付けるようにしてもよい。また、実施の形態２についても、連結部４が吐出管５又は給水管３の端部に一体となっていてもよい。さらに、吐出管５の構成材料や曲がり角度についても、実施の形態１に係る給水用蛇口１００と同様である。
【符号の説明】
【００３１】
１  ハンドル、１ａ  ハンドル、２  本体、３  給水管、４  連結部、５  吐出管、１００  給水用蛇口、１００ａ  給水用蛇口。
【図１】
0003152911.tif 000003
【図２】
0003152911.tif 000004
【手続補正書】
【提出日】平成21年6月15日(2009.6.15)
【手続補正１】
【補正対象書類名】明細書
【補正対象項目名】００１０
【補正方法】変更
【補正の内容】
【００１０】
本考案に係る吐出水方向変更器は、水道水を給水する既設の給水用蛇口の給水管に連結部を介して着脱自在に取り付けられる吐出水方向変更器であって、その吐出口が前記連結部によって前記給水管に対して任意の方向に向くように回転自在に前記給水管に取り付けられることを特徴とする。
【手続補正２】
【補正対象書類名】明細書
【補正対象項目名】００１１
【補正方法】変更
【補正の内容】
【００１１】
本考案に係る給水用蛇口は、上記の吐出水方向変更器が取り付けられた給水用蛇口であって、水道水を給水及び止水するハンドルと、前記ハンドルの操作によって給水量が調整可能な本体と、前記本体と連結し、前記ハンドルの操作によって調整された量の水道水が導通する給水管と、を備えていることを特徴とする。
【手続補正３】
【補正対象書類名】実用新案登録請求の範囲
【補正対象項目名】全文
【補正方法】変更
【補正の内容】
【実用新案登録請求の範囲】
【請求項１】
水道水を給水する既設の給水用蛇口の給水管に連結部を介して着脱自在に取り付けられる吐出水方向変更器であって、
その吐出口が前記連結部によって前記給水管に対して任意の方向に向くように回転自在に前記給水管に取り付けられる
ことを特徴とする吐出水方向変更器。
【請求項２】
前記請求項１に記載の吐出水方向変更器が取り付けられた給水用蛇口であって、
水道水を給水及び止水するハンドルと、
前記ハンドルの操作によって給水量が調整可能な本体と、
前記本体と連結し、前記ハンドルの操作によって調整された量の水道水が導通する給水管と、を備えている
ことを特徴とする給水用蛇口。